(57)【要約】【目的】電気スタンドなどの屋内灯を主とする照明装置に照明機能以外の別の機能を付加して、照明装置の機能向上を図る。【構成】照明器本体２に装着された光源１に臨むイオン発生部７を備えた照明装置であり、そのイオン発生部７は一対の透光板９，９の間に光源１の放射光を浴びる粒状の焦電体８を収容して構成される。特に、焦電体８はトルマリン（電気石）から成り、これが光源１の放射光を浴びて空気中にマイナスイオンを放出する。【選択図】　図２
2004006167.tif 000002
【特許請求の範囲】
【請求項１】
光源が装着される照明器本体と、この照明器本体に装着された光源に臨んで該光源の放射光を浴びる焦電体を備えたイオン発生部とを有して成る照明装置。
【請求項２】
照明器本体を収容する筒状の外枠を有し、その外枠の内側に前記照明器本体に対向してイオン発生部が嵌合されて成る請求項１記載の照明装置。
【請求項３】
イオン発生部は、粒状の焦電体を一対の透光板の間に収容して成る請求項１、又は２記載の照明装置。
【請求項４】
イオン発生部は、焦電体の粉末を含む板状成形物で成り、その板面には光源の放射光を透過せしめるための開口部が穿設される請求項１、又は２記載の照明装置。
【請求項５】
イオン発生部を成す焦電体がトルマリンで成る請求項１〜４の何れかに記載の照明装置。
【発明の詳細な説明】
【０００１】
【発明の属する技術分野】
本発明は、床やテーブル上などに設置する電気スタンドをはじめとする照明装置に関する。
【０００２】
【従来の技術】
従来、照明装置として、床やテーブル上に設置する電気スタンド、壁に掛けたり天井から吊り下げるハンギングライト、又は天井に固定したり埋め込んだりする天井灯などが知られる。その形態は多種多様であるが、一般には光源を装着するソケットなどのランプ取付部をもつ照明器本体と、そのランプ取付部に装着された光源を覆うシェード（笠）、又はクローブなどから構成される。特に、照明器本体には光源の種類によって安定器、点灯回路、又は変圧器などが内蔵され、その外表面やシェードの内側などにはリフレクタが設けられる。
【０００３】
そして、その種の照明装置によれば、照明器本体のランプ取付部に装着された光源を点灯させることにより、その光を所定の方向に放射して照射面を明るく照らすことができる。
【０００４】
【発明が解決しようとする課題】
然し乍ら、従来の照明装置は光源の点灯や点滅によってイルミネーション効果を得ることができるものの、その主たる機能は所望の面や空間を光で照らして明るくするという文字通りの照明機能でしかない。
【０００５】
本発明は以上のような事情に鑑みて成されたものであり、その目的は電気スタンドなどの屋内灯を主とする照明装置に照明機能以外の別の機能を付加することにある。
【０００６】
【課題を解決するための手段】
本発明は上記目的を達成するため、光源が取り付けられる照明器本体と、この照明器本体に取り付けられた光源に臨んで該光源の放射光を浴びる焦電体を備えたイオン発生部とを有して成る照明装置を提供する。これによれば、焦電体が光源の放射光を浴びて加熱し、空気中の自由電荷などで中和されていた自発分極が温度変化によって露になり、その結晶表面に分極電荷が現れる。この結果、空気中にイオン、それも多くのマイナスイオンが放出し、これが光源からの放熱による空気対流により拡散する。このため、そのマイナスイオンにより生理作用が賦活化されるというリラクゼーション効果を得る。
【０００７】
特に、本願の請求項２に係る発明は、照明器本体を収容する筒状の外枠を有し、その外枠の内側に前記照明器本体に対向してイオン発生部が嵌合されて成ることを特徴とする。そして、これによれば光源の放射光をイオン発生部に集光させて焦電体を好適に加熱することができる。
【０００８】
又、イオン発生部の態様として、請求項３に係る発明は、粒状の焦電体を一対の透光板の間に収容して成ることを特徴とし、請求項４に係る発明ではそのイオン発生部が焦電体の粉末を含む板状成形物で成り、その板面に光源の放射光を透過せしめるための開口部が穿設されることを特徴とする。更に、請求項５に係る発明はイオン発生部を成す焦電体がトルマリンで成ることを特徴とする。
【０００９】
【発明の実施の形態】
以下、本発明の適用例を図面に基づいて詳細に説明する。図１は本発明に係る照明装置の好適な態様を示した斜視概略図である。図１において、１は光源であり、この光源１は例えば６０〜１００Ｗの白熱電球、ハロゲン球、キセノンランプ、蛍光管、又は発光ダイオードなどから成る。又、２は光源を点灯させるための照明器本体であり、この照明器本体２には図示せぬ外部電源（例えば、ＡＣ１００Ｖの商用電源）から電力を得るための電気コード３が接続される。電気コード３の一端には外部電源に差し込むプラグ４が取り付けられ、その中途には電力供給をＯＮ／ＯＦＦするスライド式の電源スイッチ５が介在される。尚、電源スイッチ５はスライド式に限らず、タンブラ形その他の公知スイッチでも良く、しかも此れを照明器本体２に装置するなどしても良い。又、光源の光量を調節することのできる調光スイッチなどを用いることもできる。
【００１０】
一方、６は照明器本体を収容する円筒状の外枠である。本例において、この外枠６は、光源１の放射光が周囲に拡散するのを防止するために遮光性を有する金属やプラスチックなどで形成され、好ましくはこの発熱を防止するべく断熱性を有するプラスチックが用いられる。尤も、外枠６の側壁を部分的に開口して放光用の窓を形成したり、外枠６をガラスやアクリル樹脂といった透明材料で形成し、光源１の放射光が側方に漏れるようにしても良い。
【００１１】
又、外枠６の内側には、光源１に臨むイオン発生部７が設けられる。本例において、そのイオン発生部７は粒状と成した焦電体８（強誘電体）を有する。特に、その焦電体８は粒径が３〜２０ｍｍのトルマリンから成る。尚、その粒はトルマリン鉱石そのものでもよいし、トルマリンの粉末を他の鉱物粉末などと混ぜ合わせて焼結するなどしたものでも良い。
【００１２】
因に、トルマリンは結晶片岩、片麻岩、接触変成岩、又は花崗岩ペグマタイトなどから産する三配位のホウ素をもつシクロケイ酸塩鉱物（ＳｉＯ４四面体の頂点共有による（ＳｉＯ３）６六員環陰イオンをもつ鉱物）であり、その化学組成の一般式は［ＷＸ３Ｂ３Ａｌ３（ＡｌＳｉ２Ｏ９）３（Ｏ，ＯＨ，Ｆ）４］（Ｗ＝Ｎａ，Ｃａ，Ｘ＝Ａｌ，Ｆｅ３＋，Ｌｉ，Ｍｇ，Ｍｎ２＋）で表され、代表的なものではドラバイト（Ｗ，Ｘ＝Ｎａ，Ｍｇ）、スコール（Ｗ，Ｘ＝Ｎａ，Ｆｅ）、ウバイト（Ｗ，Ｘ＝Ｃａ，Ｍｇ）、並びにエルバイト（Ｗ，Ｘ＝Ｎａ，Ｌｉ）が知られる。
【００１３】
特に、トルマリンは電気石とも呼ばれ、焦電性および圧電性が著しく、その圧電率は５．８×１０−８ｅｓｕ〜１．１×１０−７ｅｓｕ、分極電荷は３．２×１０−１２ｅｒｇ〜１．６×１０−１１ｅｒｇ程度である。そして、このようなトルマリンによれば、光源１の放射光を浴びてその結晶表面に分極電荷を現し、空気中に多くのマイナスイオンを放出する。
【００１４】
次に、図２は同装置の内部構造を示した概略図である。この図で明らかなように、本例のイオン発生部７は、粒状と成した焦電体８（トルマリン）を一対の透光板９の間に収容して構成される。そして、このイオン発生部７は、照明器本体２に装着した光源１に対向して外枠６の上部内側に嵌合される。尚、透光板９は光源１の放射光を透過させ得る金網、又はパンチングメタルといった透かし目をもつプレートで成り、外枠６にはこれを所定の高さに保持する支持具１０が取り付けられる。よって、光源１の放射光は、焦電体８を照射しつつ透光板９を通って外部に漏れ出し、天井面などにイオン発生部７の模様（網目模様など）を投影する。このため、係る装置は照明機能は素より、マイナスイオンによる生理作用の賦活化に加えて高度なイルミネーション機能を発揮する。
【００１５】
一方、図２から明らかなように、照明器本体２には光源１を覆うリフレクタ１１が取り付けられる。リフレクタ１１は、イオン発生部７側に向けて口径が広がる中空円錐形であり、これは光源１の放射光を対面するイオン発生部７に一様に照射する働きをする。
【００１６】
尚、本例において、照明器本体２は外枠６に嵌合する円形のケーシング２Ａと、光源１を装着するソケットなどのランプ取付部２Ｂとから構成され、ケーシング２Ａ内には必要に応じて安定器、点灯回路、又は変圧器などが内蔵される。
【００１７】
ここで、以上のように構成される本願照明装置の作用を説明する。先ず、プラグ４を外部電源に差し込み、電源スイッチ５をＯＮにすると光源１が点灯する。その放射光はリフレクタ１１により反射され、イオン発生部７の焦電体８を照射する。その一部はイオン発生部７を透過して外部を照明するが、焦電体８に当たった照射光はこれを徐々に加熱する。
【００１８】
すると、焦電体８の温度変化によりその結晶表面に分極電荷が現れ、これによって空気中にマイナスイオンが放出し、これが光源１の放熱による空気対流により空気中に拡散される。このため、係る照明装置によれば、光源１の点灯によって室内などを明るくしながら、同空間に居て生理的賦活作用を得られ、光源１の放熱を有効に利用することができる。尚、マイナスイオンを空気中に拡散させるための空気対流を好適に発生させるため、外枠６の部位に外気を取り込む空気穴を設けることが好ましい。
【００１９】
以上、本発明の好適な一例を説明したが、係る照明装置は上記のような構成に限らず、イオン発生部の変更例として、これを図３、又は図４のような形態とすることもできる。図３のイオン発生部２７は格子板状の成形物とした例であり、その板面には光源の放射光を透過させ得る複数の開口部２７Ａが形成される。
【００２０】
又、図４のイオン発生部３７は、円板状の成形物とした例であり、この板面にも光源の放射光を透過させ得る複数の開口部３７Ａが形成される。特に、それらイオン発生部２７，３７は焦電体としてのトルマリン粉末を焼結して成るが、トルマリン粉末をプラスチックに混ぜて固めたものとしても良い。
【００２１】
一方、上記例では、焦電体としてトルマリンを用いたが、これに代えてＢａＴｉＯ３（チタン酸バリウム）、ＴＧＳ（トリグリシンサルファイト）、又はＰＺＴ、ＰｂＴｉＯ３といったセラミックスを用いてもよい。
【００２２】
又、上記例では係る照明装置を電気スタンドとして例示したが、本発明は図５のようなハンギングライトなどにも適用できる。尚、図５において、２１は光源、２２は光源を装着するためのランプ取付部２２Ｂを備えた照明器本体、２３は光源を覆う下部開放型のシェードであり、そのシェード２３には光源２１に対向して上記のようなイオン発生部７，２７，３７が取り付けられる。そして、このような照明装置においても上記例と同様な作用効果が得られる。
【００２３】
尚、上記各例において、外枠６、リフレクタ１１、又はシェード２３にトルマリンの固形物、或いはその粉末を固着若しくは含浸せしめ、それらをイオン発生部とすることもできる。
【００２４】
【発明の効果】
以上の説明から明らかなように、本発明に係る照明装置によれば、光源の発光熱を利用してトルマリンなどの焦電体を加熱し、所望の面や空間を明るくしながら空気中にイオン、それも多くのマイナスイオンを放出することができる。
【００２５】
又、光源の放射光がイオン発生部を透過するようにしたことから、その取付位置以外に放光部を形成せずして所望の場所を照らすことができ、しかもその透過光を天井面などに当てることにより、イオン発生部の模様を投影して高度のイルミネーション効果を得ることができる。
【図面の簡単な説明】
【図１】本発明に係る照明装置の好適な一例を示した斜視概略図
【図２】同装置の内部構造を示した概略図
【図３】イオン発生部の変更例を示した斜視概略図
【図４】イオン発生部の変更例を示した斜視概略図
【図５】本発明に係る照明装置の他の実施形態を示した概略図
【符号の説明】
１，２１　光源
２，２２　照明器本体
２Ｂ，２２Ｂ　ランプ取付部
６　外枠
７，２７，３７　イオン発生部
８　焦電体
９　透光板
【図１】
2004006167.tif 000003
【図２】
2004006167.tif 000004
【図３】
2004006167.tif 000005
【図４】
2004006167.tif 000006
【図５】
2004006167.tif 000007